(57)【要約】【課題】戸における縦向きに備えられる木質系素材を金属製連結材によって置き換え、かつ、当該戸における縦方向にわたって備えられる木質系板状材を複数枚連続するように備えさせて、反りだし等の歪みだしを防止した戸を提供する。【解決手段】ドアなどの戸Ａであって、この戸Ａが、当該戸Ａの幅側端部に縦方向にわたる金属製連結用縁材２０を備えており、この対をなす金属製連結用縁材２０間に、該金属製連結用縁材２０間にわたるように備えられている木質系板状材１０を縦方向に複数枚連続するように備えている構成としてある。【選択図】図１
2008115540.tif 000002
【特許請求の範囲】
【請求項１】
ドアなどの戸であって、
この戸が、当該戸の幅側端部に縦方向にわたる金属製連結用縁材を備えており、  この対をなす金属製連結用縁材間に、該金属製連結用縁材間にわたるように備えられている木質系板状材を縦方向に複数枚連続するように備えていることを特徴とする戸。
【請求項２】
ドアなどの戸であって、
この戸が、当該戸の幅側端部に縦方向にわたるように備えられている金属製連結用縁材と、
当該金属製連結用縁材間にあって当該戸の縦方向にわたるように備えられている金属製連結用板材とを備え、
前記対をなす金属製連結用縁材間に、この金属製連結用板材を介して該金属製連結用縁材間にわたるように木質系板状材を縦方向に複数枚連続するように備えていると共に、該戸の上端部における幅方向に金属製連結用上縁材を、該戸の下端部における幅方向に金属製連結用下縁材を備えていることを特徴とする戸。
【請求項３】
ドアなどの戸であって、
この戸が、当該戸の縦方向にわたる複数本の金属製連結用芯材と、
この金属製連結用芯材の差し入れられる上下方向に貫通した孔を幅方向に所定間隔を離して備えている当該戸の幅寸法の幅よりなる木質系板状材とを備えており、
この木質系板状材における前記孔に前記金属製連結用芯材を受け入れるように、該木質系板状材を縦方向に複数枚連続するように備えていることを特徴とする戸。
【発明の詳細な説明】
【技術分野】
【０００１】
この発明は、ドアや引き戸などの各種の戸において生ずる経時的な歪みや、当該戸を構成する木質系素材の乾湿に伴う反りだし等を確実に防止して、備え付け建具間における隙間の発生や、開け閉め時における建て付けの不具合の発生を未然に防ぐようにした戸の提供に関する。
【背景技術】
【０００２】
従来の建具における戸は、典型的には、枠材と当該枠材に納め入れられる板材とによって構成してあり、例えば、上框と中框、中框と下框間に縦向きに板材を張り込んであると共に、各縦框が角材等の通し材によって構成してあることから、当該戸を製作した後の経時的な反りだし等の歪みを生じやすく、また、当該戸の内外面における湿度や温度等の差に伴って、戸における表面側と裏面側における含有水分が変化し、この含有水分の変化量に合わせて、建て込まれている戸に特有の反り等の歪を生ずるなどの、不具合の発生が認められている。
【０００３】
かかる建て込まれた戸の歪みは、建具によって閉め込まれている住空間の気密性を著しく損なうこととなり、暖冷房効率の低下と共に、種々の不具合を居住空間にもたらす不具合があった。
【０００４】
かかる点から、木質系の枠材とハニカムパネル等の芯材とからなる扉部材の表裏面に、それぞれ化粧板の裏面側を接着剤を介して圧着してなる扉などの建具であって、前記化粧板は、合板等の板基材の表面に防湿化粧シートを、裏面に防湿裏面シートを、それぞれ接着剤を介して貼着してなる防湿化粧板であり、前記防湿化粧シートは、表面側に印刷柄層及び保護樹脂層を順次設けた坪量が２３〜５０ｇ／ｍ2の紙間強化紙からなるコート紙の裏面側に合成樹脂層を介して坪量が２３〜５０ｇ／ｍ2の紙間強化紙を設けてなり、前記防湿裏面シートは、坪量が２３〜５０ｇ／ｍ2の紙間強化紙２枚を合成樹脂層を介して積層してなる反り防止が施された扉などの建具及び前記防湿化粧シート及び前記防湿裏面シートの透湿度が、５〜３０ｇ／ｍ2・２４ｈである反り防止が施された扉などの建具が提案されている（例えば、特許文献１）。
【０００５】
【特許文献１】特許第３２０６４０８号特許公報
【発明の開示】
【発明が解決しようとする課題】
【０００６】
しかしながら、かかる反り防止が施された扉などの建具にあっては、素材製作に手間がかかり、また、木質材特有の仕上がり面と趣の異なった仕上がり面となり、居住空間の閉鎖に際して、居住空間を構成する壁面等に一連に連続して違和感の無い木質様の間仕切り面を構成し難い問題があった。
【０００７】
また、かかる反り防止が施された扉などの建具にあっては、木端側からの湿りだしに伴う反りだし等の歪みの発生に対応しきれない不具合がった。
【０００８】
この発明は、かかる従前における建具を構成する戸における不具合に鑑み、戸における縦向きに備えられる木質系素材を金属製連結材によって置き換え、しかも、当該戸における縦方向にわたって備えられる木質系板状材を複数枚連続するように備えさせることによって、構成される当該戸における反りだし等の歪みだしを防止できる戸の提供を目的としている。
【課題を解決するための手段】
【０００９】
かかる課題を解決するために、第１の発明にあっては、ドアなどの戸であって、
この戸が、当該戸の幅側端部に縦方向にわたる金属製連結用縁材を備えており、  この対をなす金属製連結用縁材間に、該金属製連結用縁材間にわたるように備えられている木質系板状材を縦方向に複数枚連続するように備えていることを特徴とする戸としてある。
【００１０】
このように構成される戸にあっては、当該戸における両側端、すなわち、当該戸における幅側端部縁に沿って金属製連結用縁材が備えられており、この各金属製連結用縁材をわたるように備えられている木質系板状材が、当該戸の縦方向に複数枚連続するように備えられた構成としてあり、当該戸における縦方向に乾湿等に伴って反りだし等の歪みを生ずる部材がなく、また、この各金属製連結用縁材間に備えられる木質系板状材が、当該戸の縦方向で複数に区分されて備えられていることから、この各木質系板状材に生ずる反り等の歪みが、構成される当該戸にもたらされることがない。
【００１１】
かかる課題を解決するために、第２の発明にあっては、ドアなどの戸であって、この戸が、当該戸の幅側端部に縦方向にわたるように備えられている金属製連結用縁材と、
当該金属製連結用縁材間にあって当該戸の縦方向にわたるように備えられている金属製連結用板材とを備え、
前記対をなす金属製連結用縁材間に、この金属製連結用板材を介して該金属製連結用縁材間にわたるように木質系板状材を縦方向に複数枚連続するように備えていると共に、該戸の上端部における幅方向に金属製連結用上縁材を、該戸の下端部における幅方向に金属製連結用下縁材を備えていることを特徴とする戸としてある。
【００１２】
このように構成される戸にあっては、当該戸における両側端、すなわち、当該戸における幅側端部縁に沿って金属製連結用縁材が備えられており、また、この金属製連結用縁材間にあって当該戸の縦方向にわたるように金属製連結用板材を備え、かつ、当該戸の上端部に金属製連結用上縁材を、下端部に金属製連結用下縁材を備えており、しかも、この金属製連結用板材を介して、前記金属製連結用縁材にわたるように備えられている木質系板状材が当該戸の縦方向に複数枚連続するように備えられた構成としてあり、当該戸における縦方向に乾湿等に伴って反りだし等の歪みを生ずる部材がなく、また、この金属製連結用板材を介して金属製連結用縁材間に挟まれている木質系板状材が、当該戸の縦方向で複数に区分されて備えられていることから、この各木質系板状材に生ずる反り等の歪みが、構成される当該戸にもたらされることがない。
【００１３】
かかる課題を解決するために、第３の発明にあっては、ドアなどの戸であって、
この戸が、当該戸の縦方向にわたる複数本の金属製連結用芯材と、
この金属製連結用芯材の差し入れられる上下方向に貫通した孔を幅方向に所定間隔を離して備えている当該戸の幅寸法の幅よりなる木質系板状材とを備えており、
この木質系板状材における前記孔に前記金属製連結用芯材を受け入れるように、該木質系板状材を縦方向に複数枚連続するように備えていることを特徴とする戸としてある。
【００１４】
このように構成される戸にあっては、当該戸の縦方向にわたる複数本の金属製連結用芯材を備えており、当該戸に縦方向に乾湿等に伴って反りだし等の歪みを生ずる部材がなく、また、各金属製連結用芯材を孔に受け入れるようにして備えられる木質系板状材が、当該戸の縦方向で複数に区分されて備えられていることから、この各木質系板状材に生ずる反り等の歪みが、構成される当該戸にもたらされることがない。
【発明の効果】
【００１５】
快適な住環境を作り出す木質系板状材を用いて構成される戸であって、経時的な歪みだしや、乾湿に伴う反り出し等の歪みを生ずることがなく、建て込み建具における気密性を効果的に維持するように閉じ込み得る戸を、容易に、かつ、確実に構成する。
【発明を実施するための最良の形態】
【００１６】
以下、図１〜図１９にもとづいて、この発明を実施するための最良の形態に係る戸Ａについて説明する。
【００１７】
ここで、図１〜図４は、当該第１の発明を実施するための典型的な実施に形態に係る戸Ａを示すものであって、図１は当該戸Ａの要部部品を分離して、斜め上方から見て、図２は、これを組み付けた状態を斜め上方から見て、図３は、これを横向きに断面して上方から見て、図４は、この要部を縦向きに断面して側方から見て示している。
【００１８】
ここで、図５〜図７は、他の典型的な実施に形態に係る戸Ａを示すものであって、図５は当該戸Ａの要部部品を分離して、斜め上方から見て、図６は、これを組み付けた状態を横向きに断面して上方から見て、図７は、この要部を縦向きに断面して側方から見て示している。
【００１９】
ここで、図８〜図１１は、当該第２の発明の典型的な実施に形態に係る戸Ａを示すものであって、図８は当該戸Ａの要部部品を分離して、斜め上方から見て、図９は、これを組み付けた状態を斜め上方から見て、図１０は、これを横向きに断面して上方から見て、図１１は、この要部を縦向きに断面して側方から見て示している。
【００２０】
ここで、図１２〜図１４は、他の、典型的な実施に形態に係る戸Ａを示すものであって、図１２は当該戸Ａの要部部品を分離して、斜め上方から見て、図１３は、これを組み付けた状態を横向きに断面して上方から見て、図１４は、この要部を縦向きに断面して側方から見て示している。
【００２１】
ここで、図１５〜図１８は、当該第３の発明の典型的な実施に形態に係る戸Ａを示すものであって、図１５は当該戸Ａの要部部品を分離して、斜め上方から見て、図１６は、これを組み付けた状態を斜め上方から見て、図１７は、これを横向きに断面して上方から見て、図１８は、この要部を縦向きに断面して側方から見て示している。
【００２２】
ここで、図１９は、他の典型的な実施に形態に係る木質系板状材１０の連結手段であるダボ６０を用いた接合部の要部を縦向きに断面して側方から見て示してある。
【００２３】
第１の発明を実施するための最良の形態に係る戸Ａは、ドアなどの戸Ａであって、
この戸Ａが、当該戸Ａの幅側端部に縦方向にわたる金属製連結用縁材２０を備えており、  この対をなす金属製連結用縁材２０間に、該金属製連結用縁材２０間にわたるように備えられている木質系板状材１０を縦方向に複数枚連続するように備えている構成としてある。なお、ここで、戸Ａの幅側端部とは、図２に示される戸Ａの左右にある端部である。
【００２４】
このように構成される戸Ａにあっては、当該戸Ａにおける両側端、すなわち、当該戸Ａにおける幅側端部縁に沿って金属製連結用縁材２０が備えられており、この各金属製連結用縁材２０をわたるように備えられている木質系板状材１０が、当該戸Ａの縦方向に複数枚連続するように備えられた構成としてあることから、当該戸Ａにおける縦方向に乾湿等に伴って反りだし等の歪みを生ずる部材がなく、また、この各金属製連結用縁材２０間に備えられる木質系板状材１０が、当該戸Ａの縦方向で複数に区分されて備えられており、この各木質系板状材１０に生ずる反り等の歪みが、構成される当該戸Ａにもたらされることがない。
【００２５】
ついで、第２の発明を実施するための最良の形態に係る戸Ａは、ドアなどの戸Ａであって、この戸Ａが、当該戸Ａの幅側端部に縦方向にわたるように備えられている金属製連結用縁材２０と、
当該金属製連結用縁材２０間にあって当該戸Ａの縦方向にわたるように備えられている金属製連結用板材３０とを備え、
前記対をなす金属製連結用縁材２０間に、この金属製連結用板材３０を介して該金属製連結用縁材２０間にわたるように木質系板状材１０を縦方向に複数枚連続するように備えていると共に、該戸Ａの上端部における幅方向に金属製連結用上縁材４０Ａを、該戸Ａの下端部における幅方向に金属製連結用下縁材４０Ｂを備えている構成としてある。なお、ここで、戸Ａの幅側端部とは、図９に示される戸Ａの左右にある端部である。
【００２６】
このように構成される戸Ａにあっては、当該戸Ａにおける両側端、すなわち、当該戸Ａにおける幅側端部縁に沿って金属製連結用縁材２０が備えられており、また、この金属製連結用縁材２０間にあって当該戸Ａの縦方向にわたるように金属製連結用板材３０を備え、かつ、当該戸Ａの上端部に金属製連結用上縁材４０Ａを、下端部に金属製連結用下縁材４０Ｂを備えており、しかも、この金属製連結用板材３０を介して、前記金属製連結用縁材２０にわたるように備えられている木質系板状材１０が当該戸Ａの縦方向に複数枚連続するように備えられた構成としてあり、当該戸Ａにおける縦方向に乾湿等に伴って反りだし等の歪みを生ずる部材がなく、また、この金属製連結用板材３０を介して金属製連結用縁材２０間に挟まれている木質系板状材１０が、当該戸Ａの縦方向で複数に区分されて備えられていることから、この各木質系板状材１０に生ずる反り等の歪みが、構成される当該戸Ａにもたらされることがない。
【００２７】
更に、第３の発明を実施するための最良の形態に係る戸Ａは、ドアなどの戸Ａであって、
この戸Ａが、当該戸Ａの縦方向にわたる複数本の金属製連結用芯材５０と、
この金属製連結用芯材５０の差し入れられる上下方向に貫通した孔１８を幅方向に所定間隔を離して備えている当該戸Ａの幅寸法の幅よりなる木質系板状材１０とを備えており、
この木質系板状材１０における前記孔１８に前記金属製連結用芯材５０を受け入れるように、該木質系板状材１０を縦方向に複数枚連続するように備えている構成としてある。なお、ここで、戸Ａの幅寸法とは、図１６に示される戸Ａの左右端間の寸法である。
【００２８】
このように構成される戸Ａにあっては、当該戸Ａの縦方向にわたる複数本の金属製連結用芯材５０を備えており、当該戸Ａに縦方向に乾湿等に伴って反りだし等の歪みだしを生ずる部材がなく、また、各金属製連結用芯材５０を孔１８に受け入れるようにして備えられる木質系板状材１０が、当該戸Ａの縦方向で複数に区分されて備えられていることから、この各木質系板状材１０に生ずる反り等の歪みが、構成される当該戸Ａにもたらされることがない。
【００２９】
なお、ここにおいて戸Ａとは、ドアや開き戸などの回動軸を備えるも、引き戸などの敷居と鴨居とで案内されるもの、吊り戸のように上部側を吊り下げ案内されるもの、折り戸のように畳み込み可動のもの、嵌め殺し等の固定式のものなど、開口部の開閉や閉じ込みに用いうる戸であれば、いかなる態様の戸であってもよい。
【００３０】
また、ここで用いられる金属製連結用縁材２０は、例えば、鉄や鉄合金、アルミやアルミ合金などのように乾湿による影響を受けることなく、しかも、木質系板状材１０を連結して戸Ａを構成しうる金属材であれば、いかなる素材によって構成してあってもよい。また、この金属製連結用縁材２０は、構成される戸Ａの幅側における両側端部縁に沿って、すなわち、当該側端部に縦方向に備えられて、各木質系板状材１０を相互に連結しうる構成を備えておれば、いかなる形態に構成してあってもよい。
【００３１】
また、ここで用いられる金属製連結用板材３０は、例えば、鉄や鉄合金、アルミやアルミ合金などのように乾湿による影響を受けることなく、しかも、木質系板状材１０を前記金属製連結用縁材２０と共に連結して戸Ａを構成しうる金属材であれば、いかなる素材によって構成してあってもよい。また、この金属製連結用板材３０は、構成される戸Ａにおける縦方向にわたるように備えられて、前記金属製連結用縁材２０と共に各木質系板状材１０を相互に連結しうる構成を備えておれば、いかなる形態に構成してあってもよい。
【００３２】
また、ここで用いられる金属製連結用上縁材４０Ａと金属製連結用下縁材４０Ｂは、例えば、鉄や鉄合金、アルミやアルミ合金などのように乾湿による影響を受けることなく、しかも、木質系板状材１０を前記金属製連結用縁材２０、金属製連結用板材３０と共に連結して戸Ａを構成しうる金属材であれば、いかなる素材によって構成してあってもよい。また、この金属製連結用上縁材４０Ａ及び金属製連結用下縁材４０Ｂは、構成される戸Ａにおける横方向にわたるように備えられて、前記金属製連結用縁材２０及び金属製連結用板材３０と共に各木質系板状材１０を相互に連結しうる構成を備えておれば、いかなる形態に構成してあってもよい。
【００３３】
また、ここで用いられる金属製連結用芯材５０は、例えば、鉄や鉄合金、アルミやアルミ合金などのように乾湿による影響を受けることなく、しかも、木質系板状材１０を連結して戸Ａを構成しうる金属材であれば、いかなる素材によって構成してあってもよい。また、この金属製連結用芯材５０は、構成される戸Ａの縦方向にわたるように備えられて、各木質系板状材１０を相互に連結しうる構成を備えておれば、いかなる形態に構成してあってもよい。
【００３４】
また、ここで戸Ａを構成する木質系板状材１０は、木質系素材で構成されておれば、無垢の木材、合板、集成材、ＭＤＦ、パーティクルボード等、いかなる素材によって構成してあってもよく、また、これらの素材を無垢材として、あるいは、これらの素材を用いてフラッシュ構造としたもの、ベタ芯構造としたものなど、いかなる態様に構成してあってもよい。
【００３５】
なお、前記木質系板状材１０相互の組み付け、及び、当該木質系板状材１０に金属製連結用縁材２０、金属製連結用板材３０、金属製連結用上縁材４０Ａ、金属製連結用下縁材４０Ｂを連結する手段は、相互が戸Ａとして機能するのに都合のよい状態に連結されうるものであれば、いかなる連結手段によって連結してあってもよい。また、かかる木質系板状材１０相互の組み付け、及び、当該木質系板状材１０に金属製連結用縁材２０、金属製連結用板材３０、金属製連結用上縁材４０Ａ、金属製連結用下縁材４０Ｂを連結する際に、複数種の連結手段によって連結するようにしてあってもよく、例えば、適宜の連結手段による連結部に同時に接着剤等の連結手段を併用するようにしてあってもよい。
【００３６】
まず、図１〜図４に示される第１の発明を実施するための最良の形態に係る典型的な実施例に係る戸Ａについて具体的に説明する。
【００３７】
ここに示される戸Ａは、いわゆるドアなどの戸Ａであって、この戸Ａが、当該戸Ａの幅側端部に縦方向にわたる金属製連結用縁材２０を備えており、この対をなす金属製連結用縁材２０間に、該金属製連結用縁材２０間にわたるように備えられている木質系板状材１０を縦方向に複数枚連続するように備えた構成としてある。
【００３８】
この図示例にあっては、戸Ａの典型例としての、いわゆるドアを示してあり、概ね所定厚さの長方形の板状をなす戸Ａを示してある。
【００３９】
この図示例に係る戸Ａを構成する一対の金属製連結用縁材２０は、戸Ａの幅側端部における縦方向にある縁部に備えられており、より具体的には、当該側端部を受け入れる凹溝を備えるように構成されている断面コ字状の、かつ、戸Ａの縦幅に相当する長さを備える構成としてあり、例えば、軽量形鋼等によって構成される。
【００４０】
この図示例に係る金属製連結用縁材２０は、長方形状の板部２０ａと、この板部２０ａにおける両側にある長手縁に沿って板部２０ａから直角に屈曲し、かつ、互いに向き合う縁鍔部２０ｂ、２０ｂを備えており、この板部２０ａに到る縁鍔部２０ｂで構成される溝状部内に、各木質系板状材１０の各側端部を受け入れうるように構成してある。
【００４１】
この対をなす金属製連結用縁材２０における一方側には、戸Ａを開口部枠に回動可能に組み付けるための蝶番取付孔２１が設けてあり、他方の金属製連結用縁材２０には錠組み付け孔２２が設けてあると共に、この金属製連結用縁材２０に側端部を入れ込むようにして組み付けられる各木質系板状材１０に当該金属製連結用縁材２０を止着するためのビス孔２０ｃが貫通状態に設けてある。
【００４２】
なお、この蝶番取付孔２１を備える金属製連結用縁材２０には、構成される戸Ａを安全、かつ確実に建具枠に対して蝶番で組み付け得るように取付補助材７０を嵌め入れてある。この取付補助材７０は、例えば、角材で構成することができる。かかる取付補助材７０は、前記金属製連結用縁材２０における縁鍔部２０ｂの鍔幅よりも厚さが薄く、しかも、このコ字状をなす金属製連結用縁材２０内に密に嵌り合う形状、寸法としてある。この結果、この取付補助材７０を備える金属製連結用縁材２０に対して各木質系板状材１０は、その側端部を当該金属製連結用縁材２０における溝状凹部内に入れ込み状態にして連結することができる。
【００４３】
また、他方の金属製連結用縁材２０における錠組み付け孔２２位置に対応して当該金属製連結用縁材２０に組み付けられる木質系板状材１０の側端部には、当該錠組み付け孔２２に連通するように錠の組み付け穴を設けるようにしてある。
【００４４】
かかる金属製連結用縁材２０によって連結されて戸Ａを構成する木質系板状材１０は、当該戸Ａにおける横幅に概ね相当する横幅を備えると共に、当該戸Ａにおける縦寸法を複数区分に分割した縦寸法を備え、かつ、当該戸Ａにおいて要請される厚さに相当する厚さを備えるものとして、板状で横長の長方形状に構成してある。
【００４５】
かかる木質系板状材１０は、構成対象の戸Ａにおいて要請される各種条件を満たすものとして、各種の木質系素材によって構成され、例えば、無垢材、集成材、フラッシュ構造材、ベタ芯構造材等の各種態様の板状材として構成される。
【００４６】
この図示例にあっては、戸Ａの幅側端部における前記金属製連結用縁材２０に嵌め込まれる嵌め込み部１１に、この木質系板状材１０の厚さを、該金属製連結用縁材２０における縁鍔部２０ｂの厚幅相当分薄くするように段状面取り部１１ａが設けてあり、この金属製連結用縁材２０に嵌め入れた際に、この金属製連結用縁材２０の外面と、当該木質系板状材１０の表面とが面一になるように構成してある。
【００４７】
また、この木質系板状材１０の下端面は、その断面形状が、厚さ方向に弧状に張り出す弧状張出端面１３としてあり、上端面は、その断面形状が、厚さ方向に弧状に張り出す弧状張出端面縁部１４ａを各厚さ側端に備えており、この弧状張出端面縁部１４ａ、１４ａ間を前記弧状張出端面１３の中央部分の密に納まる弧状凹面１４ｂとしてある。
【００４８】
かかる構成の木質系板状材１０にあっては、縦方向に連続して接合される各木質系板状材１０に反りを生じた際にあっても、弧状凹面１４ｂ内に前記弧状張出端面１３が密着状態に位置づけられて、当該各木質系板状材１０間に隙間を生ずることがなく、気密性を維持した状態で開口部を閉じることができ、また、当該木質系板状材１０間から光り漏れを生ずる不具合がない。また、弧状張出端面縁部１４ａと弧状張出端面１３間に構成される溝状部が、当該戸Ａの意匠性を高めると同時に各木質系板状材１０間におけるずれを感じさせないように機能する。
【００４９】
なお、この戸Ａを構成する木質系板状材１０における最下段に位置する木質系板状材１０の下端面と、最上段に位置する木質系板状材１０の上端面は、接合手段が不要であるので、ダボ穴１２等を備えない平坦面１７として構成してある。
【００５０】
かかる各木質系板状材１０、取付補助材７０、金属製連結用縁材２０は適宜の連結手段によって相互に連結してある。
【００５１】
この図示例にあっては、各木質系板状材１０は、縦方向に連続するように、それぞれの上端面及び下端面に穿設されている各ダボ穴１２に圧嵌入されるダボ６０で相互に接合してある。また、一方の金属製連結用縁材２０に対して、当該金属製連結用縁材２０における溝状凹部内に各木質系板状材１０における側端部を嵌め入れ状態にしてビス８０で止着してある。また、他方の金属製連結用縁材２０における溝状凹部内に嵌め入れ状態で取付補助材７０がビス８０で止着してあると共に、この取付補助材７０に穿設してあるダボ穴７１と、木質系板状材１０の側端面に穿設してあるダボ穴１２に圧嵌入されているダボ６０で、木質系板状材１０は、その嵌め込み部１１を金属製連結用縁材２０の各縁鍔部２０ｂ間に納め入れ状態にして取付補助材７０を備える金属製連結用縁材２０に連結してある。
【００５２】
このように構成されている戸Ａにあっては、取付補助材７０が金属製連結用縁材２０の凹溝内に位置づけられて蝶番の取り付け部分を構成していることから、この取付補助材７０の反り出しを生ずる不具合がない。また、当該戸Ａは、縦方向において連続される複数枚の木質系板状材１０によって構成してあり、しかも、当該戸Ａの幅側端部に備えられている金属製連結用縁材２０によって各木質系板状材１０の両側端部が保持されていることから、各木質系板状材１０における反り出しが抑制されており、また、各木質系板状材１０における反り出し等が他の木質系板状材１０に影響することがない。
【００５３】
また、このように構成される戸Ａにあっては、木質系の素材で住空間の開口部を仕切ることができ、快適な住空間をつくりだすことができると共に、戸Ａの幅側端部に金属製連結用縁材２０によるアクセントを備えさせることができる。
【００５４】
ついで、図５〜図７に示される第１の発明を実施するための最良の形態に係る他の典型的な実施例に係る戸Ａについて具体的に説明する。
【００５５】
ここに示される戸Ａは、いわゆるドアなどの戸Ａであって、この戸Ａが、当該戸Ａの幅側端部に縦方向にわたる金属製連結用縁材２０を備えており、この対をなす金属製連結用縁材２０間に、該金属製連結用縁材２０間にわたるように備えられている木質系板状材１０を縦方向に複数枚連続するように備えた構成としてあって、縦方向に連続して接合される各木質系板状材１０を前記ダボ６０に代えて、雄実１６ａと雌実１６ｂとによる実はぎとした以外の構成を、前記図１〜図４に示される実施例における戸Ａの構成と実質的に同一に構成してある。
【００５６】
従って、前記図１〜図４に示される実施例に係る戸Ａの構成と同一又は実質的に同一の部分には同一の番号を付して、その説明を省略する。
【００５７】
この図示例に係る戸Ａは、当該戸Ａを構成する各木質系板状材１０における上端の接合端面１５ａの厚さ側のほぼ中央部に当該戸Ａの幅方向にわたる向きに雌実１６ｂをなす凹溝を、また、下端の接合端面１５ａの厚さ側のほぼ中央部に当該戸Ａの幅方向にわたる向きに前記雌実１６ｂに密に嵌め入れられる雄実１６ａをなす凸条を設けてある。また、この平坦な各接合端面１５ａにおける各長手縁、すなわち、当該木質系板状材１０における厚さ側にある各縁を面取りしてテーパ面１５ｂとすることで、各木質系板状材１０間に溝状部を設け、構成される戸Ａの意匠性を高めると同時に各木質系板状材１０間におけるずれを感じさせないようにしてある。  
【００５８】
ついで、図８〜図１１に示される第２の発明を実施するための最良の形態に係る典型的な実施例に係る戸Ａについて具体的に説明する。
【００５９】
ここに示される戸Ａは、いわゆるドアなどの戸Ａであって、この戸Ａが、当該戸Ａの幅側端部に縦方向にわたるように備えられている金属製連結用縁材２０と、
当該金属製連結用縁材２０間にあって当該戸Ａの縦方向にわたるように備えられている金属製連結用板材３０とを備え、
前記対をなす金属製連結用縁材２０間に、この金属製連結用板材３０を介して該金属製連結用縁材２０間にわたるように木質系板状材１０を縦方向に複数枚連続するように備えていると共に、該戸Ａの上端部における幅方向に金属製連結用上縁材４０Ａを、該戸Ａの下端部における幅方向に金属製連結用下縁材４０Ｂを備えている構成としてある。
【００６０】
この実施例に係る戸Ａは、金属製連結用縦縁材間に金属製連結用板材３０を備え、この金属製連結用板材３０を間にいれて木質系板状材１０を、戸Ａの縦方向に連続して備えている構成と、戸Ａの上端部に金属製連結用上縁材４０Ａを、また、当該戸Ａの下端部に金属製連結用下縁材４０Ｂを備えている構成以外の構成を前記図１〜図４に示される実施例に係る戸Ａの構成と同一又は実質的に同一の構成としてある。
【００６１】
従って、前記図１〜図４に示される実施例に係る戸Ａの構成と同一又は実質的に同一の構成部分には同一の番号を付して説明を省略する。
【００６２】
この図示例にあっては、戸Ａの典型例としての、いわゆるドアを示してあり、概ね所定厚さの長方形の板状をなす戸Ａを示してある。
【００６３】
かかる図示例の戸Ａに備えられている金属製連結用板材３０は、当該戸Ａの縦方向にわたるように備えられており、細長い長方形状をなす、例えば、鋼板によって構成される。かかる金属製連結用板材３０は、その板面を木質系板状材１０の側端面に向き合わせて、当該木質系板状材１０の各側端面間に挟まれるように備え付けてあり、当該木質系板状材１０における厚さ寸法とほぼ同寸の板幅としてあり、その板厚方向にダボ穴３１を貫通するように設けてある。
【００６４】
かかる金属製連結用板材３０は、その上端部と下端部における板幅の両端部に、それぞれカット部３０ａを設けてあり、このカット部３０ａ間にある金属製連結用板部端が、金属製連結用上縁材４０Ａ及び金属製連結用下縁材４０Ｂの各縁鍔部４０ｂ間に納まる構成としてある。また、前記ダボ穴３１は、当該金属製連結用板材３０における縦方向の所定間隔毎に設けてあり、各木質系板状材１０をダボ６０で当該金属製連結用板材３０に連結するようにしてある。
【００６５】
また、この図示例に係る戸Ａにあっては、金属製連結用縁材２０と金属製連結用板材３０との間、金属製連結用板材３０と金属製連結用板材３０との間にある木質系板状材１０が、戸Ａにおける縦方向に連続して接合されており、この縦方向に連続して接合し合う各木質系板状材１０相互の接合と、この木質系板状材１０を挟む金属製連結用縁材２０、金属製連結用板材３０との接合によって、都合よく戸Ａを構成してある。
【００６６】
また、この図示例に係る戸Ａにあっては、その上端部と下端部にあって、当該戸Ａの幅側端部に備えられている金属製連結用縁材２０間に備えられる金属製連結用上縁材４０Ａと金属製連結用下縁材４０Ｂによって、前記金属製連結用板材３０を介して横方向に連続して備えられている各木質系板状材１０を連結してある。
【００６７】
かかる金属製連結用上縁材４０Ａと金属製連結用下縁材４０Ｂは、細長い長方形状をなす板部４０ａと、この板部４０ａの各長手縁、すなわち、当該板部４０ａにおける各幅側端縁から直角に屈曲して向き合うように延設されている縁鍔部４０ｂとを備えており、この各縁鍔部４０ｂ、４０ｂ間に木質系板状材１０の各端部を密に受け入れて、これらの一連に連続されている各木質系板状材１０の端部を連結してある。また、この図示例にあっては、この板部４０ａにおける長さ方向の所定間隔毎に設けられている各ビス孔４０ｃから前記木質系板状材１０にビス８０がねじ込まれて、当該金属製連結用上縁材４０Ａと金属製連結用下縁材４０Ｂとが前記木質系板状材１０に止着されている。
【００６８】
また、この図示例に係る戸Ａを構成する木質系板状材１０であって、前記金属製連結用縁材２０、金属製連結用上縁材４０Ａ、金属製連結用下縁材４０Ｂに接合される端部に前記第１の実施例に係る戸Ａを構成する木質系板状材１０の段状面取り部１１ａと同様の段状面取り部１１ａを設けてある。かかる段状面取り部１１ａは、戸Ａの隅部に備えられる木質系板状材１０にあっては、当該隅部を挟む二辺に連続するように設けてある。
【００６９】
かかる図示例の戸Ａにあっては、金属製連結用縁材２０と金属製連結用板材３０間、及び、各金属製連結用板材３０間にある各木質系板状材１０は、縦方向に連続するように、それぞれの上端面及び下端面に穿設されている各ダボ穴１２に圧嵌入されるダボ６０で相互に接合してある。また、一方の金属製連結用縁材２０に対して、当該金属製連結用縁材２０における溝状凹部内に当該金属製連結用縁材２０に隣り合う各木質系板状材１０における側端部を嵌め入れ状態にしてビス８０で止着してある。また、他方の金属製連結用縁材２０における溝状凹部内に嵌め入れ状態で取付補助材７０がビス８０で止着してあると共に、この取付補助材７０に穿設してあるダボ穴７１と、木質系板状材１０の側端面に穿設してあるダボ穴１２に圧嵌入されているダボ６０で、木質系板状材１０は、その嵌め込み部１１を金属製連結用縁材２０の各縁鍔部２０ｂ間に納め入れ状態にして取付補助材７０を備える金属製連結用縁材２０に連結してある。また、各木質系板状材１０の金属製連結用板材３０に向き合う側端面には当該金属製連結用板材３０のダボ穴３１に連通するようにダボ穴１２が穿設してあり、金属製連結用板材３０のダボ穴３１に挿通したダボ６０を互いに側端面を向き合わせている各木質系板状材１０のダボ穴１２に圧嵌入して相互に連結状態にしてある。また、戸Ａにおける幅側端部にある金属製連結用縁材２０間の上端部に、戸Ａの幅方向に連続されている各木質系板状材１０の上端部を受け入れて金属製連結用上縁材４０Ａをビス８０で止着してあり、また、戸Ａにおける幅側端部にある金属製連結用縁材２０間の下端部に、戸Ａの幅方向に連続されている各木質系板状材１０の下端部を受け入れて金属製連結用下縁材４０Ｂをビス８０で止着してある。
【００７０】
かかる構成からなる戸Ａにあっては、前記図１〜図４に示される実施例に係る戸Ａの構成に、更に、金属製連結用板材３０を加えて、木質系板状材１０を、当該戸Ａの幅方向においても複数個に区分した状態にして連続させてあり、また、当該戸Ａの上端部と下端部とに金属製連結用上縁材４０Ａと金属製連結用下縁材４０Ｂとを設けてあることから、図１〜図４に示される実施例に係る戸Ａにおいて奏功される効果を、さらに増すことができる。
【００７１】
ついで、図１２〜図１４に示される第２の発明を実施するための最良の形態に係る他の典型的な実施例に係る戸Ａについて具体的に説明する。
【００７２】
この実施例に係る戸Ａは、いわゆるドアなどの戸Ａであって、この戸Ａが、当該戸Ａの幅側端部に縦方向にわたるように備えられている金属製連結用縁材２０と、
当該金属製連結用縁材２０間にあって当該戸Ａの縦方向にわたるように備えられている金属製連結用板材３０とを備え、
前記対をなす金属製連結用縁材２０間に、この金属製連結用板材３０を介して該金属製連結用縁材２０間にわたるように木質系板状材１０を縦方向に複数枚連続するように備えていると共に、該戸Ａの上端部における幅方向に金属製連結用上縁材４０Ａを、該戸Ａの下端部における幅方向に金属製連結用下縁材４０Ｂを備えている構成としてあって、縦方向に連続して接合される各木質系板状材１０を前記ダボ６０に代えて、雄実１６ａと雌実１６ｂとによる実はぎとした以外の構成を、前記図８〜図１１に示される実施例における戸Ａの構成と実質的に同一に構成してある。
【００７３】
従って、前記図８〜図１１に示される実施例に係る戸Ａの構成と同一又は実質的に同一の構成部分には同一の番号を付して、その説明を省略する。
【００７４】
この図示例に係る戸Ａは、当該戸Ａを構成する各木質系板状材１０における上端の接合端面１５ａの厚さ側のほぼ中央部に当該戸Ａの幅方向にわたる向きに雌実１６ｂをなす凹溝を、また、下端の接合端面１５ａの厚さ側のほぼ中央部に当該戸Ａの幅方向にわたる向きに前記雌実１６ｂに密に嵌め入れられる雄実１６ａをなす凸条を設けてある。また、この平坦な各接合端面１５ａにおける各長手縁、すなわち、当該木質系板状材１０における厚さ側にある各縁を面取りしてテーパ面１５ｂとすることで、各木質系板状材１０間に溝状部を設け、構成される戸Ａの意匠性を高めると同時に各木質系板状材１０間におけるずれを感じさせないようにしてある。  
【００７５】
ついで、図１５〜図１８に示される第３の発明を実施するための最良の形態に係る典型的な実施例に係る戸Ａについて具体的に説明する。
【００７６】
この実施例に係る戸Ａは、いわゆるドアなどの戸Ａであって、この戸Ａが、当該戸Ａの縦方向にわたる複数本の金属製連結用芯材５０と、
この金属製連結用芯材５０の差し入れられる上下方向に貫通した孔１８を幅方向に所定間隔を離して備えている当該戸Ａの幅寸法の幅よりなる木質系板状材１０とを備えており、
この木質系板状材１０における前記孔１８に前記金属製連結用芯材５０を受け入れるように、該木質系板状材１０を縦方向に複数枚連続するように備えている構成としてある。
【００７７】
この図示例にあっては、戸Ａの典型例としての、いわゆるドアを示してあり、概ね所定厚さの長方形の板状をなす戸Ａを示してある。
【００７８】
かかる戸Ａは、当該戸Ａの幅寸法であって、縦方向に連続するように接合されて当該戸Ａを構成する複数枚の横方向に長い長方形状の木質系板状材１０を備えている。かかる木質系板状材１０は、戸Ａの厚さと同一の厚さで、戸Ａと同一の幅寸法に構成してあり、上下方向に貫通する孔１８を、この木質系板状材１０における幅方向に所定間隔を離して複数個設けてある。
【００７９】
この図示例に係る木質系板状材１０にあっては、横方向に長い長方形状の板状材１０’、１０”の互いに向き合う面に、縦向きに溝１８ａを設け、この溝１８ａが互いに連通するように各板状材１０’、１０”を重ね合わせ状態に接合して孔１８を備える木質系板状材１０を構成してある。また、当該木質系板状材１０の連結によって構成される戸Ａにおける蝶番の取付部にあたる木質系板状材１０の側端面部に凹段部１９ａを設けて、蝶番の取付部としてある。また、この凹段部１９ａの備えられている戸Ａの側と反対の側に錠組み付け用の凹陥部１９ｂを、当該戸Ａの錠設置部に対応する木質系板状材１０の側端面に穿設してある。
【００８０】
この図示例に係る戸Ａは、当該戸Ａを構成する各木質系板状材１０における上端の接合端面１５ａの厚さ側のほぼ中央部に当該戸Ａの幅方向にわたる向きに雌実１６ｂをなす凹溝を、また、下端の接合端面１５ａの厚さ側のほぼ中央部に当該戸Ａの幅方向にわたる向きに前記雌実１６ｂに密に嵌め入れられる雄実１６ａをなす凸条を設けてあり、実はぎ接続してある。また、この平坦な各接合端面１５ａにおける各長手縁、すなわち、当該木質系板状材１０における厚さ側にある各縁を面取りしてテーパ面１５ｂとすることで、各木質系板状材１０間に溝状部を設け、構成される戸Ａの意匠性を高めると同時に各木質系板状材１０間におけるずれを感じさせないようにしてある。  
【００８１】
なお、ここで用いられる木質系板状材１０は、前記構成以外を前記図１〜図４に示される実施例に係る戸Ａを構成する木質系板状材１０と同一としてあり、天然木材の無垢材、集成材、フラッシュ構造材、ベタ芯構造材等、いかなる態様の木質系板状材１０であってもよい。
【００８２】
かかる戸Ａを構成する金属製連結用芯材５０は、該戸Ａの縦方向にわたる長さで、各木質系板状材１０を連結して戸Ａを構成しうるものであれば、いかなる金属材によって構成してあってもよく、例えば、金属製連結用角筒材５０’、例えば、角形鋼管などで構成される。
【００８３】
この図示例にあっては、戸Ａの幅方向に２本の金属製連結用芯材５０を備えた構成としてあり、木質系板状材１０の縦方向に貫通して設けてある孔１８に圧嵌入して、これらの各木質系板状材１０を連結して戸Ａを構成してある。
【００８４】
このように構成されている戸Ａは、戸Ａの縦方向に、反りだし等の変形を生ずることのない金属製連結用芯材５０を備えており、しかも、当該戸Ａが、縦方向において連続される複数枚の木質系板状材１０によって構成してあることから、当該各木質系板状材１０における反りだしが抑制されており、また、各木質系板状材１０における反りだし等が他の木質系板状材１０に影響することがない。
【００８５】
また、このように構成される戸Ａにあっては、木質系の素材面のみの戸Ａによって住空間の開口部を仕切ることができ、快適な住空間をつくりだすことができる。
【００８６】
ついで、図１９に示されるダボ６０は、前記木質系板状材１０、取付補助材７０の接合手段として用いられるダボ６０の他の実施例を示すものであって、木質系板状材１０、取付補助材７０に設けたダボ穴１２、ダボ穴７１に金属製パイプを埋め込み用意し、これに、例えば鋼棒等のダボ６０ａを密に嵌め入れて、木質系板状材１０、取付補助材７０等を連結することで、必要に応じて、戸Ａを構成している各木質系板状材１０を取り換え得るようしたものであり、例えば、経時的に、あるいは、乾湿等で木質系板状材１０が変形した場合、戸Ａを構成する一部の木質系板状材１０が汚損し、毀損した場合等に際して、該当する木質系板状材１０のみを容易かつ確実に取り換えることができる。
【図面の簡単な説明】
【００８７】
【図１】典型的な戸の部品分離斜視図
【図２】同部品の組み付けられた戸の斜視図
【図３】同平断面図
【図４】同要部縦断面図
【図５】他の典型的な戸の部品分離斜視図
【図６】同戸の平断面図
【図７】同要部の縦断面図
【図８】更に他の典型的な戸の部品分離斜視図
【図９】同部品の組み付けられた戸の斜視図
【図１０】同平断面図
【図１１】同要部の縦断面図
【図１２】更に他の典型的な戸の部品分離斜視図
【図１３】同平断面図
【図１４】同要部の縦断面図
【図１５】更に他の典型的な戸の部品分離斜視図
【図１６】同部品の組み付けられた戸の斜視図
【図１７】同平断面図
【図１８】同要部の縦断面図
【図１９】更に他のダボ連結部を示す要部縦断面図
【符号の説明】
【００８８】
Ａ  戸
１０  木質系板状材
１８  孔
２０  金属製連結用縁材
３０  金属製連結用板材
４０Ａ  金属製連結用上縁材
４０Ｂ  金属製連結用下縁材
５０  金属製連結用芯材
【図１】
2008115540.tif 000003
【図２】
2008115540.tif 000004
【図３】
2008115540.tif 000005
【図４】
2008115540.tif 000006
【図５】
2008115540.tif 000007
【図６】
2008115540.tif 000008
【図７】
2008115540.tif 000009
【図８】
2008115540.tif 000010
【図９】
2008115540.tif 000011
【図１０】
2008115540.tif 000012
【図１１】
2008115540.tif 000013
【図１２】
2008115540.tif 000014
【図１３】
2008115540.tif 000015
【図１４】
2008115540.tif 000016
【図１５】
2008115540.tif 000017
【図１６】
2008115540.tif 000018
【図１７】
2008115540.tif 000019
【図１８】
2008115540.tif 000020
【図１９】
2008115540.tif 000021